(57)【要約】【課題】一種類の表示板ホルダが種々の形態の陳列具に装着でき、且つ棚板用の表示板も装着できる表示板ホルダを提供すること。【解決手段】本発明の表示板ホルダ１１は、商品情報を表示する表示板２３を陳列具に取り付けるものであって、基板１３と、基板１３の前面に表示板２３を係止する表示板係止部１５と、陳列具１の線材３に脱着自在に取り付ける取付部１７とを備え、表示板係止部１５は表示板２３の上下端部に係止して表示板２３を脱着自在に取り付けており、取付部１７は上方を向いている線材３の先端に上方から嵌合する上下方向嵌合部３２と、左右方向の線材に嵌合する左右方向嵌合部３４とを備えている。【選択図】    図１
2004354669.tif 000002
【特許請求の範囲】
【請求項１】
商品情報を表示する表示板を陳列具に取り付ける表示板ホルダであって、基板と、基板の前面に表示板を係止する表示板係止部と、陳列具の線材に脱着自在に取り付ける取付部とを備え、表示板係止部は表示板の上下端部に係止して表示板を脱着自在に取り付けており、取付部は上方を向いている線材の先端に上方から嵌合する上下方向嵌合部と、左右方向の線材に嵌合する左右方向嵌合部とを備えることを特徴とする表示板ホルダ。
【請求項２】
表示板係止部は表示板を上下方向に傾斜して取り付けており、上下方向嵌合部は基板の前面と後面とのそれぞれに設けてあり且つ基板には上部又は下部に陳列具の線材を後から前に通す挿通孔が形成してあることを特徴とする請求項１に記載の表示板ホルダ。
【請求項３】
基板の後面に設ける上下方向嵌合部は、上下に間隔をあけて設けた上嵌合部と下嵌合部とを備え、左右方向嵌合部は、基板の後面の左右側にそれぞれ設けた左右の嵌合溝部を備え、左右の嵌合溝部は上嵌合部と下嵌合部との間に挿通した左右方向の線材に嵌合するとともに、下嵌合部には上下方向の線材が係合する縦線材係合溝が設けてあることを特徴とする請求項１に記載の表示板ホルダ。
【請求項４】
基板の後面に設ける上下方向嵌合部は、上下に間隔をあけて設けた上嵌合部と下嵌合部とを備え、左右方向嵌合部は、基板の後面の左右側にそれぞれ設けた左右の嵌合溝部を備え、左右の嵌合溝部は上嵌合部と下嵌合部との間に挿通した左右方向の線材に嵌合するとともに、左右の嵌合溝部のそれぞれと上下方向嵌合部との間には上下方向の線材を通す隙間が設けてあることを特徴とする請求項１に記載の表示板ホルダ。
【発明の詳細な説明】
【０００１】
【発明の属する技術分野】
本発明は、先端を上に向けた線材（フック）や縦横の線材で作られたバスケット等の商品陳列具に表示板を取り付ける表示板ホルダに関する。
【０００２】
【従来の技術】
この種の表示板ホルダにおいて、特許文献１には、基板の後面に上下方向嵌合部を設け、上を向いている線材の先端に上下方向嵌合部が上方から嵌合する構成が開示されている。更に、この上下方向嵌合部には左右に複数の嵌合孔を設けて嵌合孔の位置を変えることにより、表示板の取り付け角度を変えるようになっている。
【０００３】
また、特許文献２には、陳列棚に上下の表示板係止部を設け、表示板の後面に設けた上下の被係止部を係止して、陳列棚に表示板を取り付ける構成が開示されている。
【０００４】
【特許文献１】
特開２００２−２７８４６３号公報
【特許文献２】
特開２００２−１１２８６０号公報
【０００５】
【発明が解決しようとする課題】
しかし、特許文献１の表示板ホルダは、先端が上方に向いている線材（フック）のみに装着するものであり、縦横の線材で構成されたバスケット等には装着することができない。
【０００６】
また、特許文献２においては、棚板に設けた表示板係止部のみに表示板を係止するものであり、線材（フック）の先端に装着する表示板ホルダに、棚板用の表示板を取り付けることができない。
【０００７】
したがって、従来技術では、陳列具の形態（例えば、フック状のものや、バスケット状のもの）が異なる毎に別種の表示板ホルダが必要になり、表示板ホルダの種類が多くなるという問題があった。
【０００８】
更に、各陳列具の形態毎に用いる別種の表示板ホルダは外見が似ているため、識別しづらく、判別に時間がかかったり、倉庫から間違って取り出してしまい、再度倉庫に表示板ホルダを探しにいかなければならないという問題があった。
【０００９】
本発明は、上述した事情に鑑みなされたもので、一種類の表示板ホルダが種々の形態の陳列具に装着でき、且つ棚板用の表示板も装着できる表示板ホルダの提供を目的とする。
【００１０】
【課題を解決するための手段】
上記目的を達成するために、請求項１に記載の発明は、商品情報を表示する表示板を陳列具に取り付ける表示板ホルダであって、基板と、基板の前面に表示板を係止する表示板係止部と、陳列具の線材に脱着自在に取り付ける取付部とを備え、表示板係止部は表示板の上下端部に係止して表示板を脱着自在に取り付けており、取付部は上方を向いている線材の先端に上方から嵌合する上下方向嵌合部と、左右方向の線材に嵌合する左右方向嵌合部とを備えることを特徴とする。
【００１１】
この請求項１に記載の発明では、陳列具が先端を上に向けている線材（フック）である場合に、陳列具に表示板ホルダを装着するには、線材の先端に上方向から表示板ホルダの上下方向嵌合部を装着して取り付ける。また、陳列具がバスケット等の左右方向の線材（横線材）を有するものである場合には、左右方向嵌合部を左右方向の線材に嵌合する。このように本発明では、一種類の表示板ホルダが、先端が上を向いている線材（以下「フック」という）や左右方向の線材（以下、「横線材」という）にも取り付けできるから、陳列具の種類が異なる毎に異なる表示板ホルダを用意する必要がない。
【００１２】
また、陳列具の種類に応じた複数の表示板ホルダが必要ないので、表示板ホルダの取り違えを防止できる。
【００１３】
表示板係止部は表示板の上下端縁部に係止する構成であるから、表示板の上下端部に係止して表示板を取り付けている棚板用の表示板を表示板ホルダに取り付けることができ、棚板用の表示板を、フックやバスケット等の陳列具にも共通して用いることができる。
【００１４】
請求項２に記載の発明は、請求項１に記載の発明において、表示板係止部は表示板を上下方向に傾斜して取り付けており、上下方向嵌合部は基板の前面と後面とのそれぞれに設けてあり且つ基板には上部又は下部に陳列具の線材を後から前に通す挿通孔が形成してあることを特徴とする。
【００１５】
この請求項２に記載の発明では、請求項１に記載の発明と同様な作用効果を奏するとともに、例えば、基板の後面に設けた上下方向嵌合部に線材（フック）の先端を装着して表示板が上方を向いて傾斜するように表示板ホルダを取り付ける。一方、表示板が下を向くように傾斜させる場合には、表示板ホルダの上下を逆さにして挿通孔にフックを通し、表示板の前面に設けた上下方向嵌合部にフックの先端を装着する。
【００１６】
このように、本発明では、フックの先端を基板の前面で装着したり後面で装着することにより、表示板を上に向けたり下に向けて傾斜することができるので、表示板ホルダが需要者の目線よりも高い位置にある場合や低い位置にある場合にも表示板を見やすく設定することができる。尚、基板の前面にフックの先端を装着する場合には、基板の挿通孔にフックの水平部分を配置して基板の前面に先端を位置させる。
【００１７】
請求項３に記載の発明は、請求項１に記載の発明において、基板の後面に設ける上下方向嵌合部は、上下に間隔をあけて設けた上嵌合部と下嵌合部とを備え、左右方向嵌合部は、基板の後面の左右側にそれぞれ設けた左右の嵌合溝部を備え、左右の嵌合溝部は上嵌合部と下嵌合部との間に挿通した左右方向の線材に嵌合するとともに、下嵌合部には上下方向の線材が係合する縦線材係合溝が設けてあることを特徴とする。
【００１８】
この請求項３に記載の発明は、請求項１に記載の発明と同様な作用効果を奏するとともに、陳列具が横線材と縦線材で構成されたバスケット等の場合には、表示板ホルダは、横線材に取り付けるが、横線材は上嵌合部と下嵌合部との間に挿通して、左右に設けた嵌合溝部に嵌合する。上嵌合部と下嵌合部との間の隙間を利用してここに横線材を挿通するので、表示板ホルダを簡易に且つコンパクトな構成にすることができる。
【００１９】
更に、縦線材は基板の裏面において下嵌合部の縦線材係合溝に係合するので、表示板ホルダが下方向に回転するのを防止することができる。
【００２０】
請求項４に記載の発明は、請求項１に記載の発明において、基板の後面に設ける上下方向嵌合部は、上下に間隔をあけて設けた上嵌合部と下嵌合部とを備え、左右方向嵌合部は、基板の後面の左右側にそれぞれ設けた左右の嵌合溝部を備え、左右の嵌合溝部は上嵌合部と下嵌合部との間に挿通した左右方向の線材に嵌合するとともに、左右の嵌合溝部のそれぞれと上下方向嵌合部との間には上下方向の線材を通す隙間が設けてあることを特徴とする。
【００２１】
この請求項４に記載の発明は、請求項１に記載の発明と同様な作用効果を奏するとともに、請求項３に記載の発明の場合と同様に、陳列具が横線材と縦線材とから構成されたバスケット等の場合において、横線材を表示板ホルダの左右方向嵌合部に装着し、陳列具の縦線材は上下方向嵌合部と各左右の嵌合溝との間の隙間に配置されるので、縦線材が邪魔にならずに表示板ホルダを陳列具に容易に装着できる。左右の嵌合溝部と上下方向嵌合部との間に隙間を設けるだけでなので構成が簡易で且つコンパクトである。
【００２２】
更に、縦線材は左右の嵌合溝部と上下方向嵌合部との間で基板の裏面に位置するので、表示板ホルダが上下方向に回転するのを防止することができる。
【００２３】
【発明の実施の形態】
以下に、添付図面の図１〜図７を参照して本発明の第１実施の形態を詳細に説明する。図１は第１実施の形態にかかる表示板ホルダを陳列具に装着した状態を示す斜視図であり、図２は図１に示す表示板ホルダを正面側から見た斜視であり、図３は図２に示す表示板ホルダを後面側から見た斜視図であり、図４は図１に示す陳列具に表示板ホルダを装着した図であり、（ａ）は側面図であり、（ｂ）は背面図であり、図５は表示板ホルダの他の取付例を示す図であり、（ａ）は側面図であり、（ｂ）は背面図であり、図６は図１に示す表示板ホルダを他の陳列具（バスケット）に装着した例を示す図であり、（ａ）縦断面図であり、（ｂ）は背面図であり、図７は図６に示す表示板ホルダを陳列具（バスケット）の他の位置に装着した例を示す図であり、（ａ）縦断面図であり、（ｂ）は背面図である。
【００２４】
本実施の形態に適用される陳列具１は、略Ｕ字形状に形成した線材３の下端側部５に商品を順次吊り下げて陳列するものであり、略Ｕ字を形成している曲げ側（後側）は角バー４を介して支柱に支持されている。尚、線材３の略Ｕ字を形成している曲げ側はネットに取り付けるものであってもよい。
【００２５】
線材３の上端部７は、先端９が上方に向いており、表示板ホルダ１１は上方から先端９に装着されている。
【００２６】
表示板ホルダ１１は、樹脂材製であり、基板１３と、基板の前面に設けられた表示板係止部１５と、線材３に装着する取付部１７とから構成されている。取付部１７は基板１３の前面と後面との両方に設けられている。
【００２７】
表示板係止部１５は、基板１３の下端縁及び上端縁にそれぞれ形成された係止溝部１９、２１を有しており、上下の係止溝部１９、２１間に表示板２３が係止されるようになっている。
【００２８】
表示板２３には、商品の価格、商品の内容、広告等の商品情報を記載した商品情報カードが脱着自在に挿入部２５に挿入されて、圧接部２７に押圧されて挿入部２５内に保持される。この表示板２３の後面には、被係止部２９、３１が上下に設けてあり、且つ各被係止部２９、３１は長手方向に沿って略平行に設けており、被係止部２９、３１は表示板ホルダ１１の上下の係止溝１９、２１に装着される。尚、表示板２３は、被係止部２９、３１を、棚板４０（図１に示す）の表示板レール４２に係止することにより、棚板４０に取り付けることもできる。
【００２９】
取付部１７は、先端９が上方を向いている線材３に取り付ける上下方向嵌合部３２と、略水平方向の線材に取り付ける左右方向嵌合部３４とから構成されている。上下方向嵌合部３２は、本実施の形態では、基板１３の前面に設けた前面側嵌合部３３と、基板１３の後面に設けた後面側嵌合部３５とを備えており、前面と後面との両方の位置で線材３の先端９に取り付けできるようになっている。
【００３０】
前面側嵌合部３３には、基板１３の前面略中央に上下方向の嵌合孔３７が形成されている。尚、基板１３の下部には、線材３の先端９を通す挿通孔３９が形成されている。
【００３１】
後面側嵌合部３５には、上嵌合部４１と、下嵌合部４３とが基板後面に上下に隙間をあけて設けられている。尚、この隙間が左右方向の線材（横線材）４５を挿通する挿通空間４７となっている。上嵌合部４１と、下嵌合部４３とには上下方向の嵌合孔４９、５１がそれぞれ形成されており、この嵌合孔４９、５１に線材３の上を向いた先端９が嵌合される。
【００３２】
左右方向嵌合部（左右の嵌合溝部）３４は、基板１３の後面において、それぞれ左右側端部に設けてあり、後面の上下方向嵌合３５との間に隙間５３をあけている。この隙間５３には横線材４５に取り付けいる縦線材５５を挿通するものである。
【００３３】
左右方向嵌合部３４は弾性変形可能な溝部であり、この溝部に横線材４５が弾性嵌合されるようになっている。尚、左右方向嵌合部３４の横には縦線材５５に当接する当接部６０が設けられており（図３参照）、横線材４５が左右方向嵌合部３４に装着されたときに当接部６０が縦線材５５に当接して表示板ホルダ１１が下に向くのを防止するようになっている。
【００３４】
次に、本実施の形態にかかる表示板ホルダ１１の使用方向及び作用について説明する。
【００３５】
線材（フック）３に表示板ホルダ１１を装着する場合には、上を向いた先端９を基板１３の前面に装着する場合と後面に装着する場合との前後方向２位置で装着が可能である。
【００３６】
基板１３の前面に装着する場合（図１及び図４参照）、基板の下部に形成している挿通孔３９に線材３を通して、表示板ホルダ１１の前面側嵌合部３３を上方向から下方に向けて先端９に嵌合する。
【００３７】
表示板ホルダ１１を上下逆さにして取り付ける場合（図５参照）には、基板１３の後面に線材３の上を向いた先端９を装着する。即ち、表示板ホルダ１１の上下を逆さにして、下にある上嵌合部４１の嵌合孔５１に線材３の上を向いた先端９を挿通して、上に位置する下嵌合部４１の嵌合孔５１に嵌合する。このように表示板ホルダ１１を上下逆さにして取り付け可能とすることにより、表示板２３の前面を下に向けて傾斜させたり上に向けて傾斜でき、表示板２３の傾斜方向を上に向けたり、下に向けたり任意に取り付けできるものである。
【００３８】
次に、図６及び図７を参照して、横線材４５と縦線材５５とで構成されているバスケット等の陳列具において、表示板ホルダ１１を横線材４５に装着する場合について、説明する。図６に示すように横線材４５を上嵌合部４１と下嵌合部４３との間にある挿通空間４７に配置し、左右方向嵌合部３４、３４に嵌合する。尚、縦線材５５は、下嵌合部４３の縦線材係合溝５７に配置される。
【００３９】
図７は、上方方向の線材５５を左右方向嵌合部３４と上下方向嵌合部３２との間の隙間５３に配置した例を示すものである。図６及び図７に示すように、縦線材５５の位置に関係なく、横線材４５を表示板ホルダ１１に取り付けることができる。
【００４０】
この第１実施の形態では、一種類の表示板ホルダ１１で、先端９が上を向いている線材（フック）３や、左右方向の線材（横線材）４５にも取り付けできるから、陳列具がフックタイプやバスケットタイプものでも取り付けでき、陳列具の種類が異なる毎に異なる表示板ホルダを用意する必要がない。即ち、各陳列具の種類が異なっていても一種類の表示板ホルダ１１が兼用できる。
【００４１】
表示板ホルダ１１は、表示板が斜め上や斜め下を向くように、上下を逆さにして装着できるから、線材（陳列具）３に取り付ける商品の状態等や、線材の位置（高い位置にあったり低い位置にあったりする場合等）により任意に変更でき、取り付けの自由度が高い。
【００４２】
陳列具が縦線材５５と横線材４５とで構成したバスケット等の場合であっても、縦線材５５を挿通する隙間５３を備えているので、縦線材５５が邪魔にならずに取り付けできるとともに横線材４５の任意の位置で取り付けできる。
【００４３】
以下に、本発明の他の実施の形態を説明するが、以下に説明する実施の形態では、上述した実施の形態と同一の作用効果を奏する部分には同一の符号を付することにより、その部分の詳細な説明を省略し、上述した実施の形態と異なる点を主に説明する。
図８及び図９に示す第２実施の形態では、前面側嵌合部３３が無いことが上述の第１実施の形態と異なっている。この第２実施の形態では、表示板ホルダ１１を上下逆さに取り付けるのは後面に設けた上嵌合部４１と下嵌合部４３とで行なうものとしてあり、下嵌合部４３は上嵌合部４１と同じように、前後に水平方向の溝６６が形成されており、この溝６６で線材（フック）３の水平部分を受けている。更に、この第２実施の形態では、下嵌合部４３と上嵌合部４１とのそれぞれに縦線材係合溝５７が設けられており、左右方向嵌合部３４をバスケットの横線材４５に取り付ける場合に、縦線材係合溝５７に縦線材５５が係合して表示ホルダ１１のがたつきを防止している。尚、この第２実施の形態において、バスケットに取り付ける場合も表示板を上向き及び下向きの両方に取り付け可能である。
【００４４】
本発明は、上述した実施の形態に限定されず、本発明の要旨を逸脱しない範囲で種々変形可能である。
例えば、線材３の形状は断面丸形状に限らず、多角形形状であってもよい。
【００４５】
【発明の効果】
請求項１に記載の発明によれば、一種類の表示板ホルダが、先端が上を向いている線材（フック）や左右方向の線材（横線材）にも取り付けできるから、陳列具の種類が異なる毎に異なる表示板ホルダを用意する必要がない。
【００４６】
また、陳列具の種類に応じた複数の表示板ホルダが必要ないので、表示板ホルダの取り違えを防止できる。
【００４７】
表示板係止部は表示板の上下端縁に係止するので、棚板に取り付ける表示板を取り付けることができる。
【００４８】
請求項２に記載の発明によれば、請求項１に記載の発明と同様な効果を奏するとともに、フックの先端を基板の前面で装着したり後面で装着することにより、表示板を上に向けて傾斜させたり下に向けて傾斜することができるので、表示板ホルダが需要者の目線よりも高い位置にある場合や低い位置にある場合にも表示板を見やすく設定することができる。また、フックの先端を基板の前面で取り付けることにより、陳列商品を取り易くし、しかも基板の後面でバスケットの線材にも取り付け可能になり、少ない材料でコンパクトに構成することができる。
【００４９】
請求項３に記載の発明は、請求項１に記載の発明と同様な効果を奏するとともに、陳列具が縦線材と横線材で形成されたバスケット等において、表示板ホルダを横線材に取り付ける場合に、上嵌合部と下嵌合部との間に横線材を挿通できるので、簡易に且つコンパクトな構成にすることができる。縦線材係合溝が設けてあるので、表示板ホルダが上下方向に回転するのを防止できる。
【００５０】
請求項４に記載の発明によれば、請求項１に記載の発明と同様な効果を奏するとともに、陳列具の縦線材が上下方向嵌合部と各左右の嵌合溝との間の隙間に配置されるので、縦線材が邪魔にならずに左右方向の線材に対して任意の位置に表示板ホルダを装着できる。しかも左右の嵌合溝部と下方向嵌合部との間に隙間を設けるだけでなので、表示板ホルダの構成を簡易で且つコンパクトにできる。更に、縦線材は左右の嵌合溝部と上下方向嵌合部との間で基板の裏面に位置するので、表示板ホルダが下方向に回転するのを防止することができる。
【図面の簡単な説明】
【図１】図１は本発明の実施の形態にかかる表示板ホルダを陳列具に装着した状態を示す斜視図である。
【図２】図１に示す表示板ホルダを正面側から見た斜視である。
【図３】（ａ）は図２に示す表示板ホルダを後面側から見た斜視図であり、（ｂ）は（ａ）に示す基板の一部を除いて示す斜視図である。
【図４】図１に示す陳列具に表示板ホルダを装着した図であり、（ａ）は側面図であり、（ｂ）は背面図である。
【図５】表示板ホルダの他の取付例を示す図であり、（ａ）は側面図であり、（ｂ）は背面図である。
【図６】図１に示す表示板ホルダを他の陳列具に装着した例を示す図であり、（ａ）縦断面図であり、（ｂ）は背面図である。
【図７】図６に示す表示板ホルダを陳列具の他の位置に装着した例を示す図であり、（ａ）縦断面図であり、（ｂ）は背面図である。
【図８】第２実施の形態にかかる表示板ホルダの図であり、（ａ）は側面図であり、（ｂ）は表示板を上に向けてフックに取り付ける場合の後側から見た斜視図である。
【図９】第２実施の形態にかかる表示板ホルダの図であり、（ａ）は表示板を下に向けてフックに取り付ける場合の後側から見た斜視図であり、（ｂ）はバスケットの横線材に取り付けた場合の後側から見た斜視図である。
【符号の説明】
１    陳列具
３    線材（フック）
９    線材の先端
１１  表示板ホルダ
１３  基板
１５  表示板係止部
１７  取付部
２３  表示板
３２  上下方向嵌合部
３３  前面側嵌合部
３４  左右方向嵌合部（左右の嵌合溝部）
３５  後面側嵌合部
４１  上嵌合部
４３  下嵌合部
４５  左右方向の線材（横線材）
５３  隙間（縦線材係合部）
５５  上下方向の線材（縦線材）
５７  縦線材係合溝
【図１】
2004354669.tif 000003
【図２】
2004354669.tif 000004
【図３】
2004354669.tif 000005
【図４】
2004354669.tif 000006
【図５】
2004354669.tif 000007
【図６】
2004354669.tif 000008
【図７】
2004354669.tif 000009
【図８】
2004354669.tif 000010
【図９】
2004354669.tif 000011